【事件の表示】
　特許第２８１５４０６号「遊技機の可変表示装置」の請求項１ないし２に係る特許に対する特許異議の申立てについて、次のとおり決定する。
【結　論】
　訂正を認める。
　特許第２８１５４０６号の請求項１に係る特許を維持する。
【理　由】
（１）手続きの経緯
  本件特許第２８１５４０６号（平成１年７月２１日に出願）は、平成１０年８月１４日にその特許の設定登録がなされ、その後、アルゼ株式会社、河井清悦、岩井浩之、志村正夫より特許異議の申立てがなされ、取消理由通知がなされ、その指定期間である平成１１年１１月２日付けで訂正請求がなされたものである。
（２）訂正の適否の判断
１．訂正事項
訂正事項a　
　特許請求の範囲（請求項１）の、
「上記照明手段は、前面側が開放した凹室状のランプ収納部材を有し、該ランプ収納部材の所定部分には照明ランプを配設して構成し、」を、
「上記照明手段は、前面側が開放した凹室状のランプ収納部材を有し、該ランプ収納部材の所定部分に着脱可能に取り付けられるランプ取付基枠に照明ランプを配設して構成し、」
　と訂正する。
訂正事項ｂ　　
　特許請求の範囲（請求項１）に請求項２に記載されていた、
「上記照明手段は、照明ランプの照射光およびランプ収納室の反射光により上記液晶表示パネルを照明すると共に、該液晶表示パネルの所定の表示面積を略々均等照度に照明する照明均等化手段を備えていることを特徴とする遊技機の可変表示装置。」
　を追加記載する。
訂正事項ｃ　　
　請求項２を削除する。　
訂正事項ｄ
　明細書第３頁第２０行から第４頁第５行までの記載を次のように訂正する。
「この発明は、遊技者が視認可能な状態に識別情報を表示可能な所定の表示面積を有する液晶表示パネル（５２）を備え、該液晶表示パネルに複数の識別情報を可変表示可能な遊技機の可変表示装置（例えば、画像表示装置４等）において、上記液晶表示パネルの裏面側所定部位には、識別情報等が表示される表示領域を後方から照明可能な照明手段を設け、上記照明手段は、前面側が開放した凹室状のランプ収納部材（例えば、ランプハウス５９等）を有し、該ランプ収納部材の所定部分に着脱可能に取り付けられるランプ取付基枠（例えば、ランプ基板７２）に照明ランプ（例えば、液晶照明ランプ７３，７４等）を配設して構成し、上記ランプ収納部材外面の所定位置には、上記液晶表示パネルに複数の識別情報等の表示制御を行う液晶表示制御基板（例えば、液晶駆動基板５３等）を配設せしめ、該液晶表示パネルと該液晶表示制御基板を配線処理することにより一体的に構成し、また、上記照明手段は、照明ランプの照射光およびランプ収納室の反射光により上記液晶表示パネルを照明すると共に、該液晶表示パネルの所定の表示面積を略々均等照度に照明する照明均等化手段（例えば、ランプハウス５９の傾斜部１４６、１４７等）を備えた。」
訂正事項ｅ　　
　明細書第１８頁第３行の記載を次のように訂正する。
「を防止可能となる。さらに照明手段は照明ランプがランプ収納部材に対して着脱可能なランプ取付基枠に配設されるので、ランプ切れがあってもランプ取付基枠を取り外すことにより、簡単に交換することができ、常に良好な表示を可能とする。」
２．訂正の目的の適否、新規事項の有無及び拡張・変更の存否
  上記訂正事項ａは、特許請求の範囲に記載された構成を、より下位概念である構成に限定しようとするもので、明細書第７頁１０〜１４行に記載されている。また、上記訂正事項ｂは、請求項２に記載されていた内容をそのまま請求項１に組み込むものであるので、訂正事項ａ、ｂは特許請求の範囲の減縮に相当する。
　上記訂正事項ｃは、請求項２を削除するものであるので、特許請求の範囲の減縮に相当する。
　上記訂正事項ｄは、特許請求の範囲の訂正に伴って、その記載と整合させるために（課題を解決するための手段）の欄を訂正したもので、明りょうでない記載の釈明に相当する。
　上記訂正事項ｅは、特許請求の範囲の訂正に伴って、効果の欄を訂正したものであって、明細書第１１頁５〜８行に記載されている事項であるので、明りょうでない記載の釈明に相当する。
  そして、上記訂正事項ａ〜ｅは新規事項の追加に該当せず、実質的に特許請求の範囲を拡張又は変更するものではない。
３．独立特許要件
（新規性、進歩性について）
ア．訂正明細書の請求項１に係る発明
　訂正明細書の請求項１に係る発明は、以下のとおりのものである。
「遊技者が視認可能な状態に識別情報を表示可能な所定の表示面積を有する液晶表示パネルを備え、該液晶表示パネルに複数の識別情報を可変表示可能な遊技機の可変表示装置において、上記液晶表示パネルの裏面側所定部位には、識別情報等が表示される表示領域を後方から照明可能な照明手段を設け、上記照明手段は、前面側が開放した凹室状のランプ収納部材を有し、該ランプ収納部材の所定部分に着脱可能に取り付けられるランプ取付基枠に照明ランプを配設して構成し、上記ランプ収納部材外面の所定位置には、上記液晶表示パネルに複数の識別情報等の表示制御を行う液晶表示制御基板を配設せしめ、該液晶表示パネルと該液晶表示制御基板を配線処理することにより一体的に構成し、上記照明手段は、照明ランプの照射光およびランプ収納室の反射光により上記液晶表示パネルを照明すると共に、該液晶表示パネルの所定の表示面積を略々均等照度に照明する照明均等化手段を備えていることを特徴とする遊技機の可変表示装置。」（以下、「訂正発明」という。）
イ．刊行物記載の発明
　当審が通知した取消理由で引用した刊行物１（実願昭５８−１９９９５４号（実開昭６０−１０９６８３号）のマイクロフィルム）には、
「窓を有する取付基板を遊戯盤に固着し、該取付基板の窓には後方からクリアプレートを臨ませ、クリアプレートの後方には保持部材によって保持され偏光板に挟まれた画像表示液晶パネルを設け、さらに後方には画像表示液晶パネルに光を送り込むための光源を配置したことを特徴とするパチンコ機の画像表示装置。」（第１頁５〜１１行）
「特定入賞口６に入賞すると、第１ゲーム装置が作動し始め可変表示器３の点灯位置が循環的に変化する。一定時間が経過するか、ストップ釦（スイッチＳＷ３）１３を押すことにより第１ゲーム装置が停止しその可変表示器３の点灯位置も停止する。第１ゲーム装置が停止したとき、その停止した可変表示器３の点灯位置が予め定められた幾つかの約定位置と合致すれば、その約定位置の重みに応じて、即ち第１ゲーム装置のゲーム結果に応じて第２ゲーム装置のゲームの進行が影響され且つ限定された挑戦回数権内で累積され、その状態はゲーム盤４に表わされ、或る得点に達すると変動入賞装置５が打球を受け入れ易い状態に変換し、変動入賞装置５への入賞率が高くなる。」（第３頁１９行〜第４頁１３行）
「第４図及び第５図に於て、遊技盤２の裏面には、開ロ３５を有する制御ベース板３４が取付けてあり、該ベース板には液晶画像表示装置４０を取付け、その表示面を凹室３０の背面に在るクリアプレート３１に臨ませてある。このように画像表示装置の輪郭を形づくる凹室３０を設け、その後方に液晶画像表示装置４０を臨ませることは、パチンコ遊技の興趣を高めるだけでなく、店内の照明光、パチンコ機に付属している各種の照明具からの光線により、ゲーム盤の画像が識別しにくくなるのを防ぐことができる。」（第８頁１４行〜第９頁４行）
「保持部材４２の蓋として機能する押え部材４３は、当接面側に位置する液晶駆動基板４３０と、該基板の後方に延在し且つ開口したケース部分４３１と、該ケース部分の蓋４３２とから成る。液晶駆動基板４３０には、上記ゴムコネクタ４７と対応する位置にドライバ（ＩＣ）４８が設けてある。保持部材４２と押え部材４３は、その周囲に設けたフランジ部４２３、４３３及びその取付穴４２４、４３４を利用して、互いに連結される。この際、液晶表示パネル４１の電極は、ゴムコネクタ４７を介してドライバ（ＩＣ）４８と電気的に接続される。」（第１０頁１９行〜第１１頁１０行）
「液晶駆動基板４３０には適当な大きさの窓４３５が形成してあり、また、押え部材４３のケース部分４３１内には、この窓４３５より液晶画像パネル４１に背後から光を送り込むための光源４９が配設してある。この光源４９により、液晶画像パネル４１には背後から光が送り込まれ、パネルを通過する光のパターンがパネル前面に投影されるる。」（第１１頁１４行〜第１２頁１行）
「この例では、光源４９は保持板４３６に保持した４つのランプから成る。光源として４個のランプを使用したのは、液晶画像パネルの光度の均一化と温度の均一化を図るためである。」（第１２頁２〜５行）
「明るく、ゲーム内容を常に正しく且つ鮮明に表示させることができ、また動的に変化し得るので、パチンコ遊技の興趣を十分に高めることができる。」（第１６頁６〜９行）
「ゲーム盤面が、店内の照明光やパチンコ機に付属している各種の照明器具からの光線で照らされて、ゲームの画像が識別しにくくなることもない。従って、ゲーム内容を常に正しく且つ鮮明に表示させることができる。」（第１６頁１４〜１８行）
　及び第３図〜第５図、第７図がそれぞれ記載されている。
　同じく引用した刊行物２（実願昭５９ー１７５６６９号（実開昭６１ー９２９７９号）のマイクロフィルム）には、
「その目的とするところは、ホルダの形状を変更することにより、光源が１個ですむと共にレンズも不要とし、これによりコストの低減を図った液晶表示素子照明装置を提供するにある。・・・本考案におけるホルダ１３は全体として平面形において末広がりの形状をしており、頂部１３ａと、該頂部１３ａから拡開される傾斜面１３ｂと、該傾斜面１３ｂの先端に延長して形成された垂直面１３ｃと、該垂直面１３ｃから内方に折曲された水平面１３ｄとから形成されている。そして、頂部１３ａにはカラーキャップ１１が嵌合されると共に該カラーキャップ１１内にランプ１２が嵌挿されている。１４はランプ１２と対応する片面がカラー印刷された変更板にして、両端が延長されて支持片１４ａとなっていて、この支持片１４ａが、前記ホルダ１３の垂直面１３ｃに形成された保持孔１３Ｃ１内に挿入され、これにより変更板１４はホルダ１３に取付けられている。そして、この変更板１４とホルダ１３の水平面１３ｄとの間にＬＣＤ７は挟持固定されている。なお、プリント基板４のホルダ１３側の面には白色印刷が施されている。・・・ランプ１２を点灯すると、照明光はカラーキャップ１１を介して、該カラーキャップ１１の色に応じた着色光が発射され、この光はホルダ１３の傾斜面１３ｂとプリント基板４の白印刷面で反射されて、均一な反射光として変更板１４の印刷面に照射される。従って、変更板１４を透過した光によってＬＣＤ７は均一に照明される。」（第３ページ６行〜第４ページ末行）
　及び第１図、第７図がそれぞれ記載されている。
　同じく引用した刊行物３（実願昭６２−１５５１４１号（実開平１一５９２２３号）のマイクロフィルム）には、
「本考案は液晶テレビ等に用いられる液晶表示体ブロックの不要幅射シールド構造に関する。・・・液晶表示体１は、パネルガラス、偏光板等より構成される液晶パネル２、液晶パネル２を駆動するＸドライバ４とＹドライバ（図示せず）、ＸＹ両ドライバを取り付けた液晶パネル回路基板３より構成される。反射板２６は液晶表示体１の表示部を背面から照明するための光源である蛍光管２０から発せられる光を液晶表示体１の表示部に向かうように反射させるもので、反射光の色づきを防止するため白色のプラスチック材料で形成されている。調光板１５は白色半透明のプラスチック製で、蛍光管２０を発し直接あるいは反射板２６に反射して液晶表示体１の表示部に向う照明光が透過する部分の厚みを変え、表示部における照明光の照度を均一にしている。ビデオ回路基板６は液晶表示体ブロックに供給されるビデオ信号を液晶表示体１を駆動する信号に変換する回路を構成している。」（第２頁３行〜第３頁５行）
　及び第１、２図がそれぞれ記載されている。
　同じく引用した刊行物４（実願昭５９−１６２３３０号（実開昭６１−７７０７８号）のマイクロフィルム）には、
「パチンコ機などの弾球遊戯機には、入賞が発生したことを表示したり、さらには入賞球装置が作動して、遊戯上の特典が与えられたことを表示したりするために、各種の表示装置が併用されている。」（第２頁３〜７行）
「本考案においては、弾球遊戯機の入賞球装置と結合して使用される表示装置として液晶表示板を利用する」（第３頁１０〜１２行）
「前記表示装置７の表示面８には、例えば第３図に示すように、ボクシングシ一ンの画像９とバーグラフ１０とが液晶によって表示される。この画像９とバーグラフ１０とは、後述するように、カセット１５の中に設けられている液晶駆動回路１６（第１図参照）によって時間的に変化して表示される。」（第４頁１〜７行）
「前記画像９およびバーグラフ１０を表示するための液晶板１２は、第１図および第２図に示すように、例えば表示用のＩＣなどからなる液晶駆動回路１６とともに、カセット１５内に収納されており、その表示面８はカセット１５の前面側に形成された開ロ１４（第２図参照）を介して観察される。なお、液晶駆動回路１６は液晶板１２の表示パターンに応じて、液晶板１２内の各液晶セグメントと結線されるので、液晶板１２とともにカセット１５内に内蔵することが好ましい。」（第５頁２〜１１行）
「カセット受け２２の後方にはランプハウス２６が連設されており、このランプハウス２６には適宜のランプソケットを介してランプ３０が取り付けられている。このランプ３０からの照明光は、カセット１５の背面に形成された開ロ３１を介して、透過型の表示素子である液晶板１２に照明光を与える。」（第６頁１５行〜第７頁１行）
　及び第１、２図がそれぞれ記載されている。
　同じく引用した刊行物５（実願昭６２−６６００４号（実開昭６３−１７２４７２号）のマイクロフィルム）には、
「表示装置の裏側に配置されるランプ（照明手段）の取付け個数が増加することに伴い配線数が増加しても、その処理の簡素化が図れると共に、外来ノイズに対して強い構造を有した表示装置を提供することを目的とする。」（第４頁１６行〜第５頁１行）
「次に第３図を参照しながら、主表示手段取付部２１ｃに取り付けられる主表示手段８０の構成を説明する。主表示手段取付部２１ｃには照明開口部５０が多角形状に大きく開設されると共に、該開ロ部５０の周辺部には複数個の取付ボス５１及び位置決めボス５２が前後に向けて固着又は一体成形されている。照明開ロ部５０の前面には、先ず、金属メッキが施された反射面５４ａを有する反射体５４が、その位置決め孔５４ｂと位置決めボス５２とで位置決めされて置かれる。」（第１１頁１３行〜第１２頁２行）
「照明開ロ部５０の裏側には，ランプソケット５９が取付金具６０を用いてネジ止めされる。ランプソケット５９に挿入装着される比較的大型のランプ６２は、反射体５４の反射面５４ａの中央開ロ部分に臨むため、ランプ６２から発せられる直接光及び反射光は透明板部材５６の裏側面を強力に照射する。」（第１２頁９〜１５行）
「構造上、他の金属部分又は金属部品とは絶縁部材を挟んで向かい合う状態が必ず保たれることとなり、静電気等による外部からのノイズの影響を受け難いパチンコ機の表示装置を提供することができる。」（第１７頁１４〜１８行）
　及び第２（ａ）図、第３図がそれぞれ記載されている。
　同じく引用した刊行物６（実願昭６０−１３２６１５号（実開昭６２−３９７７６号）のマイクロフィルム）には、
「この部分の裏面側に積層貼着させた液晶フィルム１３と、更にこのフィルム１３の裏面側から離れた位置に配置した蛍光灯等の背面照明器具１５とから基本的に構成されている。」（第５頁１３〜１７行）
「照明器具１５の背面側には反射鏡１９を配置して」（第５頁２０行〜第６頁１行）
　及び第１図がそれぞれ記載されている。
　同じく引用した刊行物７（実願昭６０−１８８６７４号（実開昭６２−９７６８６号）のマイクロフィルム）には、
「ランプを設置した周囲に金属箔を貼着したこと特徴とするパチンコ機に使用されるランプの取付構造。」（第１頁５〜７行）
「この例の場合には、風車（１０）の背後にランプ（１３）を収納するカバー（１１）が取付けられており、そのカバー（１１）の内面及び風車（１０）の回転軸（１２）の周壁にアルミ箔（１６）が貼りつけられている。」（第５頁１９行〜第６頁２行）
　及び第５図がそれぞれ記載されている。
　同じく引用した刊行物８（特開昭６４−５１５号公報）には、
「液晶表示パネル５の下側には拡散板１０を介して照明装置９が配置されている。この照明装置９は、照明用光源である蛍光管１１、蛍光管１１の背面及び側面を覆い、蛍光管１１が発光する光を拡散板１０側へ輝度ムラなく均一に反射させる反射板１２・・・」（第３頁右上欄４〜９行）
　及び第４、５、９、１１図がそれぞれ記載されている。
　同じく引用した刊行物９（実願昭６２−３４６６号（実開昭６３−１１３１２３号）のマイクロフィルム）には、
「本考案は、液晶表示装置のバックライト、・・・の光源を用いる器具、装置に関する。」（第１頁１１〜１３行）
「蛍光管２の光線のうち回路基板１上の反射パターン１０で反射される光線は、蛍光管２より離れた部分に照射され照光面３上の光強度の均一性を増している。」（第４頁１３〜１７行）
　及び第４、５図がそれぞれ記載されている。
　同じく引用した刊行物１０（実願昭６２−７９９９０号（実開昭６３−１８８０７７号）のマイクロフィルム）には、
「本考案による表示装置１は、第１基板２と第２基板３とを有し、第１基板２の前面には表示基板４を添設し、第２基板３にはＭＣＵ５を有する処理部６を形成する。」（第４頁２〜５行）
「本考案に係る表示装置１は、例えば第４図に示すようなブロック回路を有する制御装置１６によって制御される。しかし、本考案では表示装置１自体も処理部６を有しているので、制御装置１６のメインＭＣＵ１７の負担が軽くなると共に、配線接続が極めて簡単になる。」（第５頁１４〜１９行）
「本考案によれば、・・・１１本の配線で足りるが、従来のようにメインＭＣＵ１７に頼る場合には少なくとも４０本の配線が必要である。また、表示装置１の各ＬＥＤ素子９をメインＭＣＵ１７で制御する場合には処理時間が長くなって表示がチラ付い見難いものになってしまう。」（第６頁１２〜２０行）
　及び１、２、４図がそれぞれ記載されている。
ウ．対比・判断
　訂正発明と上記刊行物１〜１０記載の発明とを対比すると、刊行物１〜１０記載の発明は、訂正発明の構成要件である、遊技機の可変表示装置において、「上記照明手段は、前面側が開放した凹室状のランプ収納部材を有し、該ランプ収納部材の所定部分に着脱可能に取り付けられるランプ取付基枠に照明ランプを配設して構成」する点、及び「ランプ収納部材外面の所定位置には、上記液晶表示パネルに複数の識別情報等の表示制御を行う液晶表示制御基板を配設」する点を備えておらず、又上記刊行物１〜１０にはこれらの点を示唆する記載もない。そして、訂正発明は、これらの点を訂正発明の他の構成要件と組み合わせることによって「液晶表示パネルの裏面側所定部位に設けられ、識別情報等が表示される液晶表示パネルの表示領域を後方から照明する照明手段を構成する前面側が開放した凹室状のランプ収納部材外面の所定位置には、液晶表示パネルに複数の識別情報等の表示制御を行う液晶表示制御基板を配設し、液晶表示パネルと該液晶表示制御基板を配線処理することにより一体的に構成して、液晶表示パネルと液晶表示制御基板との間の配線距離を短縮可能としたので、液晶表示パネルに、多くの情報を表示させるために、高速の制御を行わせると共に多くの信号を制御した場合においても、遊技機に配設されたモー夕やソレノイドから発生するノイズや遊技機の近傍に配設される設備機器から発生するノイズにより、表示が乱れる等の誤動作が発生することが防止され、安定した表示が可能となる。また、照明手段は、照明ランプの照射光およびランプ収納室の反射光により液晶表示パネルを照明すると共に、照明均等化手段を備えることで、識別情報が表示される液晶表示パネルの表示領域を略々均等照度に照明することが可能となり、多彩な表示を可能にするために表示面積が大きい液晶表示パネルを用いた場合においても、識別情報が見やすく、遊技者の目が疲れる等の問題が発生することを防止可能となる。さらに照明手段は照明ランプがランプ収納部材に対して着脱可能なランプ取付基枠に配設されるので、ランプ切れがあってもランプ取付基枠を取り外すことにより、簡単に交換することがで、常に良好な表示を可能とする。」という明細書記載の効果を奏するものである。
　上記の点について補足すると、刊行物１の画像表示装置における液晶駆動基板４３０（訂正発明の液晶表示制御基板に相当）は、４つある光源の前面に設けられており、該液晶駆動基板４３０に設けられた窓４３５により液晶画像パネル４１に背後から光を送り込むことにより、４つある光源により光度の均一化を図るものであり、訂正発明のように、照明手段が前面側が開放した凹室状のランプ収納部材外面の所定位置に液晶表示制御基板が設けられるものではない。そして、液晶駆動基板４３０を光源の前面に設け、窓４３５により光を送り込むことが前提の刊行物１のような画像表示装置に、刊行物２〜１０の照明手段、照明均等化手段を組み合わせたとしても、上記訂正発明のような構成を導き出すことはできない。 また、刊行物２のホルダ１３に嵌合されるカラーキャップ１１は、ランプ１２を嵌挿するキャップであり、ランプの光を着色するものであって、訂正発明における「ランプの取付基枠」とは異なるものである。
　したがって、訂正発明は、上記刊行物１に記載されている発明であるということはできず、また、上記刊行物１〜１０記載の発明から当業者が容易に発明することができたものというこもはできない。
（記載不備について）
　照明手段を設けたことと、液晶表示パネル及び液晶表示制御基板を一体的に構成したこととは、全く関連性がなく、「一体的に」構成することによる因果関係が不明であり、まとまりがある１つの技術思想をとらえることができないとする点は、ノイズにより液晶パネルの表示が乱れることを防ぐことも、表示部の明るさの均等化を図ることも、共に液晶パネルの表示機能を常に良好に維持することにあるのは明らかであるので、まとまりのある１つの技術思想をとらえることができないとすることはできない。
　したがって、訂正発明は、その出願の際独立して特許を受けることができないとすることはできない。
４．むすび
　以上のとおりであるから上記訂正を認める。　
（３）特許異議の申立てについての判断
１．申立ての理由の概要
　異議申立人アルゼ株式会社は、甲第１号証（実願昭５８−１９９９５4号（実開昭６０−１０９６８３号）のマイクロフィルム・・・刊行物１）、甲第２号証（実願昭５９−１７５６６９号（実開昭６１−９２９７９号）のマイクロフィルム・・・刊行物２）、甲第３号証（実願昭６２−１５５１４１号（実開平１−５９２２３号）のマイクロフィルム・・・刊行物３）及び参考文献（特開昭５５−９６９８４号公報、特開昭６０−６６７７４号公報、特開昭６２−２８４６７７号公報、実開昭５６−２３９８３号公報、実開昭５８−１１７８５号公報）を提出し、請求１、２に係る発明の特許は、特許法第２９条２項の規定により特許を受けることができない発明に対してなされたものであるので、取り消すべき旨主張している。
　異議申立人河合清悦は、甲第１号証（実願昭５８−１９９９５４号（実開昭６０−１０９６８３号）のマイクロフィルム・・・刊行物１）、甲第２号証（実願昭５９−１６２３３０号（実開昭６１−７７０７８号）のマイクロフィルム・・・刊行物４）、甲第３号証（実願昭６２−６６００４号（実開昭６３−１７２４７２号）のマイクロフィルム・・・刊行物５）、甲第４号証（実願昭６０−１３２６１５号（実開昭６２−３９７７６号）のマイクロフィルム・・・刊行物６）、甲第５号証（実願昭６０−１８８６７４号（実開昭６２−９７６８６号）のマイクロフィルム・・・刊行物７）を提出し、請求項１、２に係る発明の特許は、特許法第２９条１項３号又は同条２項の規定により特許を受けることができない発明に対してなされたものであるので、取り消すべき旨主張している。
　異議申立人岩井浩之は、甲第１号証（実願昭５８−１９９９５４号（実開昭６０−１０９６８３号）のマイクロフィルム・・・刊行物１）、甲第２号証（特開昭６４−５１５号公報・・・刊行物８）を提出し、請求項１、２に係る発明の特許は、特許法第２９条１項３号又は同条２項の規定により特許を受けることができない発明に対してなされたものであるので、取り消すべき旨主張している。
　異議申立人志村正夫は、甲第１号証（実願昭５８−１９９９５４号（実開昭６０−１０９６８３号）のマイクロフィルム）・・・刊行物１）、甲第２号証（実願昭５９−１６２３３０号（実開昭６１−７７０７８号）のマイクロフィルム・・・刊行物４）、甲第３号証（実願昭６２−３４６６号（実開昭６３−１１３１２３号）のマイクロフィルム・・・刊行物９）、甲第４号証（特開昭６４−５１５号公報・・・刊行物８）、甲第５号証（実願昭６２−７９９９０号（実開昭６３−１８８０７７号）のマイクロフィルム・・・刊行物１０）及び甲第６号証（審査基準）を提出し、請求項１、２に係る発明の特許は、特許法第２９条２項の規定により特許を受けることができない発明に対してなされたものであり、また、特許法第３６条の規定にも違反しているので、取り消すべき旨主張している。
２．新規性、進歩性について
ア．本件発明
　訂正後の請求項１に係る発明は、上記（２）３．（新規性、進歩性について）ア．を参照されたい。
　なお、請求項２に係る発明は削除されたので異議の決定を要しないものとなった。
イ．各甲号証記載の発明
　各異議申立人の上記各甲号証については、上記（２）３．（新規性、進歩性について）イ．を参照されたい。
　なお、異議申立人アルゼ株式会社の提出した参考文献は、液晶表示制御基板と一体的に構成した液晶表示パネルを遊技機の可変表示装置とすることは周知技術であることを証するためのものである。また、志村正夫の甲第６号証は、特許法第３６条に関する審査基準である。
ウ．対比・判断
　上記（２）３．（新規性、進歩性について）ウ．を参照されたい。
３．記載不備について
　申立人志村正夫の主張する点については、上記（２）３．（記載不備について）を参照されたい。
４．むすび
　以上のとおりであるから、特許異議の申立ての理由及び証拠によっては、訂正後の請求項１に係る発明の特許を取り消すことはできない。
  また、他に訂正後の請求項１に係る発明の特許を取り消すべき理由を発見しない。
　よって、結論のとおり決定する。
【異議決定日】
平成１２年５月１８日（２０００．５．１８）
【訂正の要旨】
訂正の要旨
［１］訂正事項ａ
　▲１▼−（１）特許請求の範囲（請求項１）の記載において、「上記照明手段は、前面側が開放した凹室状のランプ収納部材を有し、該ランプ収納部材の所定部分には照明ランプを配設して構成し、」を特許請求の範囲の限縮を目的として「上記照明手段は、前面側が開放した凹室状のランプ収納部材を有し、該ランプ収納部材の
所定部分に着脱可能に取り付けられるランプ取付基枠に照明ランプを配設して構成
　▲２▼−（２）同じく特許請求の範囲（請求項１）に特許請求の範囲の限縮を目的として請求項２の記載内容である「
上記照明手段は、照明ランプの照射光およびランプ収納室の反射光により上記液晶表示パネルを照明すると共に、該液晶表示パネルの所定の表示面積を略々均等照度に照明する照明均等化手段を備えていることを特徴とする遊技機の可変表示装置。
　なお、請求項２については、その内容を請求項１に移したため、削除する。
　▲２▼これに伴い特許請求の範囲と発明の詳細な説明の記載との整合を図るため、明瞭でない記載の釈明を目的として、明細書（ただし、平成８年７月２２日付け提出の全文補正明細書）の記載を次のように訂正する。なお、訂正部分にはアンダーラインを付し、また頁の記載は補正書の頁に合わせてある。
　▲２▼−（１）明細書第３頁第２０行から第４頁第５行までの記載を次のように訂正する。
「この発明は、遊技者が視認可能な状態に識別情報を表示可能な所定の表示面積を有する液晶表示パネル（５２）を備え、該液晶表示パネルに複数の識別情報を可変表示可能な遊技機の可変表示装置（例えば、画像表示装置４等）において、上記液晶表示パネルの裏面側所定部位には、識別情報等が表示される表示領域を後方から照明可能な照明手段を設け、上記照明手段は、前面側が開放した凹室状のランプ収納部材（例えば、ランプハウス５９等）を有し、該ランプ収納部材の
所定部分に着脱可能に取り付けられるランプ取付基枠（例えば、ランプ基板７２）に照明ランプ
し、また、
　▲２▼−（２）明細書第１８頁第３行の記載を次のように訂正する。
「を防止可能となる。
さらに照明手段は照明ランプがランプ収納部材に対して着脱可能なランプ取付基枠に配設されるので、ランプ切れがあってもランプ取付基枠を取り外すことにより、簡単に交換することがで、常に良好な表示を可能とする。」
（５４）【発明の名称】
遊技機の可変表示装置
（５７）【特許請求の範囲】
（１）遊技者が視認可能な状態に識別情報を表示可能な所定の表示面積を有する液晶表示パネルを備え、該液晶表示パネルに複数の識別情報を可変表示可能な遊技機の可変表示装置において、
　上記液晶表示パネルの裏面側所定部位には、識別情報等が表示される表示領域を後方から照明可能な照明手段を設け、
　上記照明手段は、前面側が開放した凹室状のランプ収納部材を有し、該ランプ収納部材の
所定部分に着脱可能に取り付けられるランプ取付基枠に照明ランプを配設して構成
　
上記ランプ収納部材外面の所定位置には、上記液晶表示パネルに複数の識別情報等の表示制御を行う液晶表示制御基板を配設せしめ、該液晶表示パネルと該液晶表示制御基板を配線処理することにより一体的に構成し、
　上記照明手段は、照明ランプの照射光およびランプ収納室の反射光により上記液晶表示パネルを照明すると共に、該液晶表示パネルの所定の表示面積を略々均等照度に照明する照明均等化手段を備えている
【発明の詳細な説明】
（産業上の利用分野）
　この発明は、液晶表示パネルに複数の識別情報が可変表示可能な遊技機の可変表示装置に関するものである。
（従来の技術）
　複数の７セグメントＬＥＤ等の表示器を配設して構成し、数字等の識別情報を可変表示させて、停止した識別情報の組合わせに基づき特別遊技の起生を判定する可変表示装置を備えた遊技機が知られている。これらの可変表示装置は、７セグメントＬＥＤ等の表示器から構成されていたために表示可能な情報も少なく制御も容易であるので、遊技装置全般の制御を行う遊技制御装置により制御が行われ、遊技制御装置と可変表示装置との間の配線の数が余り多くなかった。
（発明が解決しようとする課題）
　近年は可変表示装置に多彩な表示を可能にして、多色の表示やキャラクタ等を用いた識別情報の表示を行ったり、遊技者に対する種々の報知を行うことにより差別化を図るために、液晶表示パネルを可変表示装置に用いる遊技機が増加してきた。
　液晶表示パネルには、多くの情報が表示可能であるが、これを制御するためには、高速にかつ多くの信号を制御しなければならず、従来のように遊技制御装置により制御を行った場合には、液晶表示パネルと遊技制御装置との間の配線が非常に多くなり、高速の制御を要求されるために、遊技機に配設されたモータやソレノイドから発生するノイズや遊技機の近傍に配設される設備機器から発生するノイズにより、表示が乱れる等の誤動作の発生が多くなってしまう。
　また、７セグメントＬＥＤ等は、表示する面積が狭いと共に発光素子によりセグメントを構成しているために、表示の明るさについては、略々均一になっており、多少明るさが異なっても遊技者が見ずらくなることもなかったが、多彩な表示を可能にするために表示面積が大きい液晶表示パネルを用いた場合には、表示部の明るさが均等でないと、遊技者が表示される識別情報を見ずらくなり、目が疲れる等の問題が発生する。
（課題を解決するための手段）
　この発明は、遊技者が視認可能な状態に識別情報を表示可能な所定の表示面積を有する液晶表示パネル（５２）を備え、該液晶表示パネルに複数の識別情報を可変表示可能な遊技機の可変表示装置（例えば、画像表示装置４等）において、上記液晶表示パネルの裏面側所定部位には、識別情報等が表示される表示領域を後方から照明可能な照明手段を設け、上記照明手段は、前面側が開放した凹室状のランプ収納部材（例えば、ランプハウス５９等）を有し、該ランプ収納部材の
所定部分に着脱可能に取り付けられるランプ取付基枠（例えば、ランプ基板７２）に照明ランプ
し、また、
（作用）
　液晶表示パネルの裏面側所定部位に設けられ、識別情報等が表示される液晶表示パネルの表示領域を後方から照明する照明手段を構成する前面側が開放した凹室状のランプ収納部材外面の所定位置には、液晶表示パネルに複数の識別情報等の表示制御を行う液晶表示制御基板を配設し、液晶表示パネルと該液晶表示制御基板を配線処理することにより一体的に構成して、液晶表示パネルと液晶表示制御基板との間の配線距離を短縮する。
　また、照明手段は、照明ランプの照射光およびランプ収納室の反射光により液晶表示パネルを照明すると共に、照明均等化手段を備えることで、識別情報が表示される液晶表示パネルの表示領域を略々均等照度に照明する。
（実施例）
　以下、本発明の実施例を図面に基づいて説明する。
　第１図において、遊技機としてのパチンコ機の遊技盤１の表面には、ガイドレ−ル２で囲われた遊技部３のほぼ中央に可変表示装置としての画像表示装置４が、画像表示装置４の下方に変動入賞装置５が、画像表示装置４と変動入賞装置５の間および画像表示装置４の左右に特定入賞口６ａ、６ｂ、６ｃが配設される。
　７は画像表示装置４の上部に設けられる天入賞口（一般入賞口）、８ａ、８ｂ、９ａ、９ｂは遊技部３および変動入賞装置５の左右に設けられる袖および落とし入賞口（一般入賞口）、１０ａ〜１０ｄは風車等の転動誘導部材、１１はアウトロである。
　遊技盤１の下部には、パチンコ球の供給皿１２と、受け皿１３と、打球発射装置の操作部１４が配設され、打球発射装置により発射された打球はガイドレ−ル２に案内されて遊技部３内に入る。
　１５は打球発射装置の作動中を示すパイロットランプ、１６は打ち止め等を示す完了ランプ、１７は賞球ランプである。また、１８ａ、１８ｂ、１９ａ、１９ｂ、２０ａ、２０ｂは当たり表示ランプである。なお、遊技部３内の大部分の遊技釘は図示省略してある。
　各入賞口６〜９は、遊技盤１の裏面側から見ると第２図のように配置され、各入賞口６〜９および変動入賞装置５に入賞した入賞球は、裏面に取り付けた流下樋２１ａ〜２１ｈと図示しない樋カバーを介して賞球排出装置の連チャンヘと導かれる。また、２２ａ、２２ｃは特定入賞口６ａ、６ｂ、６ｃに入賞した入賞球を検出するスイッチ（特定入賞球検出スイッチ）を、２３、２４は変動入賞装置５に設けられ、変動入賞装置５に入賞した入賞球を検出するスイッチ（カウントスイッチ）と、変動入賞装置５内の連続作動口２５に入賞した入賞球を検出するスイッチ（サイクルスイッチ）を示す。
　画像表示装置４は、第３図〜第１０図のように遊技盤１の表面に取り付けられる前面ユニット２６と、裏面に取り付けられる後面ユニット２７とからなる。
　前面ユニット２６の基板２８には、下半部中央に所定の奥行きを有する窓部２９と、窓部２９の後端に窓面１３２とが基板２８と同じく透明部材により一体的に形成される。窓部２９の左右には、裏面側から飾りランプ３０ａ、３０ｂ（後述する）を着色光とする有色可視部材よりなる飾り枠３１ａ、３１ｂが取り付けられ、窓部２９の桟部には裏面側にて４つの記憶個数表示ＬＥＤ（発光素子）３２ａ〜３２ｄが配線基板３３を介して配置される。記憶個数表示ＬＥＤ３２ａ〜３２ｄは、特定入賞口６ａ〜６ｃへ入賞した球数の未処理個数（後述する）を点灯個数にて表示する。
　基板２８の上部には、前面に天入賞口７の流下棚３４と左右下部に鎧部３５ａ、３５ｂとを設けた前飾り板３６が組付けられ、流下棚３４に接続して基板２８裏面に出口流路３７が形成される。鎧部３５ａ、３５ｂの筒部には、配線基板３８を介してそれぞれ飾りＬＥＤ３９ａ〜３９ｄ、３９ｅ〜３９ｈが前面の穴に臨むように配設される。
　また、鎧部３５ａ、３５ｂの間にて、基板２８に有色可視部材よりなる保持プレ−ト４０が組付けられ、保持プレ−ト４０の前面に壷の形をした装飾具（以下、壺部材と呼ぶ）４１が配設される。壺部材４１は、保持プレ−ト４０に形成した長穴を貫通するバ−４２の前端に吊着され、バ−４２を介して保持プレ−ト４０の裏面に枢支された揺動自由なアーム４３に連結、支持される。ア−ム４３には、壺部材４１を上方に付勢するスプリングが係合される一方、ソレノイド４４（後述する）に対向するレバ−４５が突設され、ソレノイド４４を伸動するとア−ム４３が回動して壺部材４１が上方の所定位置から下降し、ソレノイド４４を縮動するとスプリングの付勢力により壺部材４１が上方の所定位置に戻る（第１０図参照）。また、保持プレ−ト４０の裏面には、配線基板４６を介して図柄変動表示ランプ４７が配設される。
　前面ユニット２６は、基板２８を介して、基板２８の周縁形状に合わせて形成した遊技盤１の開口部４８の表面に取付けられ、基板２８の裏面には周縁部の数ケ所に後面ユニット２７側のピン穴４９（後述する）と係合して位置決めを行う位置決めピン５０が立設される。
　後面ユニット２７は、遊技盤１の裏面に取付けられる基枠５１と、表示手段としての液晶表示パネル（液晶表示部）５２と、表示制御手段として液晶表示パネル５２の表示制御を行う液晶駆動基板５３と、保護ケース５４等からなる。
　基枠５１には、前面ユニット２６の窓面１３２よりも１回り大きい開口部５５が形成され、基枠５１の前面の所定位置に前面ユニット２６の位置決めピン５０と嵌まるピン穴４９が設けられ、開口部５５の上方に前面ユニット２６の天入賞口７の出口流路３７に接続する流下樋５６が形成され、開口部５５と流下樋５６の間に前面ユニット２６の壺部材４１のレバ−４５を押動して壺部材４１を作動するソレノイド４４が配設される。
　また、開口部５５の左右の枠５７には前面ユニット２６の飾り枠３１ａ、３１ｂに対応して飾りランプ３０ａ、３０ｂの挿入孔５８（２つ）が、挿入孔５８の上下には液晶表示パネル５２のランプハウス５９を支承するハウス取付座６０（４つ）が、ハウス取付座６０の外側には保護ケ−ス５４の台座６１（４つ）が、挿入孔５８の外側には保護ケ−ス５４に取付けたワンタッチ式ロック６２の掛止穴６３（２つ）が形成される。ハウス取付座６０は、枠５７に形成した半円筒溝の途中に座部６４が、座部６４に支持ピン６５が垂設される。台座６１は、その半円筒溝の壁に沿って付設した円柱部により形成される。
　液晶表示パネル５２は、液晶物質を透明電極を付けたガラス板で挟み、偏光板を重ね合わせたもので、縦１６列、横１９列に素子が画成され、各素子の電極に接続する接続線としての多数のリード線（ピン）６６がパネル５２の上端部と下端部に１列に配列されている。
　照明手段を構成するランプ収納部材としてのランプハウス５９は、液晶表示パネル５２の背後から所定の光を透過させると共に、液晶表示パネル５２と液晶駆動基板５３と中継基板６７とを一体的に支持するもので、ハウス前面に液晶表示パネル５２に対応する開口部６８が形成され、開口部６８に続くハウス内部が後部上面と後部下面に傾斜部１４６，１４７を設けた空間６９に形成され、ハウス後面外部に設けた複数のフック７０および位置決めピン７１を介して掛止されるランプ基板７２を介して、照明手段を構成する照明ランプとして異なる発光色の液晶照明ランプ７３、７４（各３つ）がハウス後面中央の挿入孔７５から空間６９に望むように嵌挿、配置される。
　液晶照明ランプ７３、７４は、一方の発光色のものを上側に、他方の発光色のものを下側に千鳥に配列され、ランプハウス５９にランプ基板７２を介し組み付けられ点灯された状態では、液晶表示パネル５２がランプ７３、７４によって直接およびランプハウス５９の内部面の反射光によって照明されるが、ランプハウス５９の内部後面に設けられた照明均等化手段としての傾斜部１４６、１４７による反射光によって、液晶表示パネル５２の表示領域の均等な照度が得られる。また、この場合液晶表示パネル５２にてランプ７３、７４からの光量が均一かつ最大となるように、ハウス５９の開口部６８から後面中央までの距離が設定される。また、液晶照明ランプ７３、７４は、ランプ基板７２とともに一度に、およびハウス５９にランプ基板７２を取付けたままラバ−プラグ７６により１つずつ着脱自由である。
　また、ランプハウス５９の側面前端には、所定４ケ所に前記基枠５１のハウス取付座６０の座部６４と支持ピン６５に対応してピン穴７７を有する取付用の耳７８が形成され、ランプハウス５９の上面と下面には多数のスリット状の放熱穴７９が、ランプハウス５２の上面の周囲３ケ所と下面の周囲４ケ所に脚８０が、脚８０にダボ８１が形成されている。
　液晶駆動基板５３は、板上に後述する制御装置８２と接続する配線８３を着脱可能に接続するコネクタ部としての端子部８４と、液晶表示パネル５２の種々の表示デ−タを記憶した表示情報記憶手段としてのＬＣＤ表示用ＲＯＭ８５と、制御装置８２からの信号に応じてＬＣＤ表示用ＲＯＭ８５から所定の表示デ−タを読み出すＬＣＤ表示用ＣＰＵ８６（ＬＣＤ表示用ＲＯＭ８５を内蔵）と、読み出した表示デ−タを液晶表示パネル５２の各素子に合わせて出力するコントロ−ラドライバ８７とを配列、接続したもので、板前端側および前方両端側にそれぞれ１列に設けた接続部としての穴８８、８９、９０にコントロ−ラドライバ８７の接続端が形成され、また板４ケ所にランプハウス５９の下面のダボ８１を嵌める穴９１が形成される。中継基板６７は、液晶駆動基板５３と同様に板前端側および両端側にそれぞれ１列に穴９２、９３、９４（溝でも良い）が設けられ、穴９３、９４が穴９２と接続され、また板３ケ所にランプハウス５９の上面のダボ８１を嵌める穴９５が形成される。
　液晶表示パネル５２の下端部のリ−ド線６６とランプハウス５９の下面のダボ８１を液晶駆動基板５３の穴８８と９１に、液晶表示パネル５２の上端部のリ−ド線６６とランプハウス５９の上面のダボ８１を中継基板６７の穴９２と９５に差し込んで、各ダボ８１の先端を融着し、各リ−ド線６６を各穴８８、９２にハンダ付けし、さらに基板５３、６７の穴８９、９０と９３、９４にジャンパ線１１４を差し込んで、各穴８９、９０、９３、９４にハンダ付けされる。
　これにより、液晶表示パネル５２と液晶駆動基板５３とが接続されると共に、液晶表示パネル５２と、液晶駆動基板５３および中継基板６７がランプハウス５９に支持され、一体構造となる。取付基板としての基枠５１に取付けられる液晶表示パネル５２と、液晶表示パネル５２に接続された液晶駆動基板５３と、液晶表示パネル５２の背後から照らす液晶照明ランプ７３，７４とを表示ユニットと総称する。
　保護ケ−ス５４は、前記基枠５１に対応して、ケ−ス前面の開口部の左右に設けたランプ孔９６（２つ）に飾りランプ３０ａ、３０ｂが配置され、ランプ孔９６の上下に基枠５１のハウス取付座６０にランプハウス５９の取付用の耳７８を押しつける押止部９７（４つ）が、押止部９７の外側に基枠５１の台座６１に当接する耳９８（４つ）が形成され、ランプ孔９６の外側にノブ９９を押し引きずることで基枠５１の掛止穴６３とにより保護ケ−ス５４をワンタッチで基枠５１に取付け、取りはずし可能なコレット型のロック６２（２つ）が設けられる。
　また、保護ケ−ス５４の上面には、パチンコ球の径よりも小さい幅で多数の放熱穴１００が開設され、後面には離脱式の蝶番１０１とフック１０２により開閉および取りはずし可能なカバ−１０３に前記ランプ３０ａ、３０ｂ、ＬＥＤ３２ａ〜３２ｄ、ソレノイド４４等の中継基板１０４が配設される。中継基板１０４からは後述する制御装置８２に接続する配線１０５が延設され、中継基板１０４はフック１０６によりカバ−１０３に着脱自由である。保護ケース５４の下部は、液晶駆動基板５３に対応して後方に膨出され、その膨出部１５０に所定の開口窓部１５１が開設される。この開口窓部１５１を介して制御装置８２と接続する配線８３が液晶駆動基板５３の端子部８４と着脱される。
　そして、後面ユニット２７は、基枠５１が遊技盤１の裏面に、遊技盤１の表面に取付けた前面ユニット２６の基板２８から裏面側に突き出した位置決めピン５０に基枠５１のピン穴４９を嵌め合わせた状態で取付られ、次に液晶表示パネル５２と基板５３、６７を一体化したランプハウス５９が、ランプハウス５９の耳７８を基枠５１のハウス取付座６０に間に緩衝用部材としてのラバ−リング１０７を介在し、耳７８のピン穴７７をハウス取付座６０に設けた支持ピン６５に嵌め合わせて組み付けられ、さらにランプハウス５９の耳７８との間にラバーリング１０８を介在して液晶表示パネル５２、ランプハウス５９、基板５３、６７等を囲う保護ケ−ス５４が、押止部９７をラバ−リング１０８に当接させ、耳９８を基枠５１の台座６１に合わせ、ワンタッチ式ロック６２を基枠５１の掛止穴６３に挿入しノブ９９を押すことで取付けられる。
　したがって、前面ユニット２６と後面ユニット２７の取付けおよび後面ユニット２７の液晶表示パネル５２、基板５３、６７を一体化したランプハウス５９とこれらを囲う保護ケース５４の取付け、取りはずしは容易である。また、ランプハウス５９は、下面に液晶駆動基板５３を、上面に中継基板６７を、前面に液晶表示パネル５２を配置するので、構造がコンパクトであり、しかもダボ８１の融着により基板５３、６７を、液晶表示パネル５２のリ−ド線６６を直接基板５３、６７にハンダ付けすることで液晶表示パネル５２を取付けると共に、基板５３、６７をジャンパ線１１４により接続するので、配線が繁雑になることもなく、製作も極めて容易である。
　また、後面ユニット２７の基枠５１はピン穴４９と前面ユニット２６の基板２８の位置決めピン５０により、ランプハウス５９は耳７８のピン穴７７と基枠５１のハウス取付座６０の支持ピン６５により、保護ケ−ス５４はロック６２と基枠５１の掛止穴６３等によりそれぞれ位置決めされるので、前面ユニット２６に対して後面ユニット２７が適正位置に取付けられ、前面ユニット２６の基板２８の窓面３０に対して後面ユニット２７のランプハウス５９と一体の液晶表示パネル５２が適正位置にセットされる。また、液晶駆動基板５３の端子部８４に制御装置８２と接続する配線８３が着脱可能であり、その着脱を保護ケース５４に開設した開口窓部１５１を介して行えるので、遊技盤１に後面ユニット２７を取付けた後であっても、制御装置８２との配線８３の接続、離脱を簡単に行え、このため保護ケ−ス５４、表示ユニットの取付け、取り外しが容易である。
　また、前面ユニット２６には遊技球（パチンコ球）が衝突するが、前面ユニット２６と後面ユニット２７とが遊技盤１を間に分離した構造となるので、その衝撃が後面ユニット２７に伝わることはなく、また液晶表示パネル５２、基板５３、６７を一体化したランプハウス５９がラバ−リング１０７、１０８を介して基枠５１のハウス取付座６０に保護ケース５４から浮いた状態で支持されるので、外部からの振動等は液晶表示パネル５２、基板５３、６７、液晶照明ランプ７３、７４等に伝わることなくラバ−リング１０７、１０８により吸収され、このため遊技球の衝突や振動等によって液晶表示パネル５２の画像に乱れを生じることが防止される。
　また、ランプハウス５９の後面中央に液晶照明ランプ７３、７４が千鳥にかつハウス５９の開口部６８から後面中央までの距離により液晶表示パネル５２にて均一で最大の光量が得られるようにランプ７３、７４が位置設定されると共に、ランプハウス５９の内部後面に液晶表示パネル５２にて均等な照度が得られるようにランプ７３、７４の照明を反射させる傾斜部１４６、１４７を設けたため、表示部に明暗を生じることがなく、明るくはっきりとした画像が得られる。このため、パチンコ店での照明の具合や設置場所等にかかわらず、鮮明で極めて見やすい画像を実現できる。なお、ランプハウス５９に別部材による照明均等化手段として例えば内面に反射板等を設ければ、均等な照度が得られると共に、少ない光量でも画像の光度を高めることが可能である。また、液晶照明ランプ７３、７４は、保護ケース５４の後面のカバ−１０３を開き、ランプ基板７２をはずすことにより一度にあるいはラバープラグ７６をはずずことにより一つずつ簡単に交換でき、このためランプ切れに迅速に対応できる。
　また、液晶照明ランプ７３、７４からは熱が発生するが、ランプハウス５９の上面と下面および保護ケ−ス５４の上面に多数の放熱穴７９、１００を設けたので、熱が内部にこもることはなく、しかもランプ７３、７４の下方に液晶駆動基板５３が位置するので、熱により液晶駆動基板５３に悪影響を及ぼす心配はない。なお、液晶駆動基板５３の位置は熱による悪影響が受けがたい位置であればランプハウス５９の下方に限定しなくても良い。また、液晶表示パネル５２、基板５３、６７、ランプハウス５９は保護ケ−ス５４に囲われるため、遊技盤１の裏機構等からのこぼれ球によって基板５３、６７等が破損するのを防止できる。
　変動入賞装置５は、第１１図、第１２図のように遊技盤１の表面に取付られる基板１０９の中央上部前面に連続作動口２５が、連続作動口２５の下方に奥方に向けて下り傾斜する流下棚１１０を有する飾りカバ−１１１が形成され、連続作動口２５の左右に連続作動口２５の上方にて先端を合わせて流下してきた打球を受け入れない閉状態（第１１図の１点鎖線で示す）と、先端を起こして流下してきた打球を受け入れる開状態（第１１図の実線で示す）とに変換可能な一対の可動部材１１２ａ、１１２ｂが配設される。
　可動部材１１２ａ、１１２ｂは、図示しないが基板１０９に設けた軸受部を貫通する回動軸に取付けられ、基板１０９の裏面側にて回動軸の軸端に固定したア−ムと、ア−ムに係合するレバ−等を介してソレノイドに連結される。ソレノイドに通電されると、レバ−を介してア−ムが所定角度回動され、可動部材１１２ａ、１１２ｂは閉状態から開状態に作動される。
　基板１０９の飾りカバ−１１１の奥方には流下棚１１０に接続する一般入賞口１１３が形成され、連続作動口２５には連続作動口２５への入賞球を検出するサイクルスイッチ２４が設けられ、基板１０９の裏面側にて連続作動口２５と一般入賞口１１３の合流出口流路には連続作動口２５および一般入賞口１１３を通過した入賞球を検出するカウントスイッチ２３が設けられる（第２図参照）。
　また、飾りカバ−１１１の内部には当たり表示ランプ２０ｃが、連続作動口２５の左右裏面には連続作動表示ランプ１１５ａ、１１５ｂが配置される。９ａ、９ｂは基板１０９に一体的に設けた落し入賞口である。
　第１３図は遊技盤１の裏機構（第２図の背部となる）を示すもので、１１６は賞球排出装置の賞球タンク１１７から導かれた球を図示しない球ザヤに整列流下させる球ザヤレ−ル、１１８は賞球時に球ザヤを傾動させる駆動モ−タ、１１９は賞球条件に応じて図示しない球ザヤフックを介して球ザヤからの排出球数を切り換える賞球数切り換えソレノイドである。駆動モ−タ１１８により球ザヤが傾動されると、賞球数切り換えソレノイド１１９により賞球条件に応じた数の賞球が球ザヤから排出樋、ダンパ、賞球ボックス１２０を介して遊技盤１の下部前面の供給皿１２や受け皿１３へ排出される。
　また、１２１は打球発射装置のモ−タ、１２２は杵、１２３は球送り、１２４はスピーカで、８２は電気的遊技装置としての前記画像表示装置４、変動入賞装置５、各ランプ１８ａ、１８ｂ、１９ａ、１９ｂ、２０ａ〜２０ｃ、３０ａ、３０ｂ、４７、７３、７４、１１５ａ、１１５ｂ、各ＬＥＤ３２ａ〜３２ｄ、３９ａ〜３９ｈ、スピーカ１２４ならびにその他の電気機器を制御する遊技制御手段としての制御装置である。図示しないが、各電気機器は配線を介して制御装置８２の入出力端子に接続され、画像表示装置４の液晶駆動基板５３は前述したように基板５３に接続される配線８３を介して可変表示制御手段としての制御装置８２の入出力端子に接続される。なお、制御装置８２の電源コードは裏機構の上部に設けたタ−ミナルベ−ス１２６に接続され、タ−ミナルベ−ス１２６から外部電源に接続される。
　第１４図は制御系のブロック構成を示すもので、制御装置８２はＣＰＵ１２７、ＲＯＭ１２８、ＲＡＭ１２９、バッファゲ−ト、出力ポ−ト等からなるマイクロコンピュ−タにて構成される。
　ＲＯＭ１２８にはＣＰＵ１２７を制御するプログラムデ−タや画像表示装置４の制御データ等が格納され、ＣＰＵ１２７はプログラムデ−タおよび各スイッチ２２ａ、２２ｃ、２３、２４、１３１の検出信号等に基づいて、ＲＯＭ１２８、ＲＡＭ１２９とでデータの授受および処理等を行い、出力ポートを介して画像表示装置４の液晶駆動基板５３のＬＣＤ表示用ＣＰＵ８６、壺部材４１のソレノイド４４、変動入賞装置５の可動部材１１２ａ、１１２ｂのソレノイド１３０、ランプ１８ａ、１８ｂ、１９ａ、１９ｂ、２０ａ〜２０ｃ、３０ａ、３０ｂ、４７、１１４、１１５ａ、１１５ｂ、ＬＥＤ３９ａ〜３９ｈ、記憶個数表示ＬＥＤ３２ａ〜３２ｄ、液晶照明ランプ７３、７４等に制御信号を出力する。
　また画像表示装置４の液晶駆動基板５３のＬＣＤ表示用ＲＯＭ８５には前述したように液晶表示パネル（デジタル）５２の表示デ−タが格納されており、ＬＣＤ表示用ＣＰＵ８６は制御装置８２の出力ポ−トから送られた制御信号に応じて、ＬＣＤ表示用ＲＯＭ８５から所定の表示デ−タを読み出し、コントロ−ラドライバ８７を介してデジタル５２に出力する。第１５図（Ａ）、第１６図にＬＣＤ表示用ＲＯＭ８５に格納された数字、文字等の遊技用デ−タと、メッセ−ジや動画等のディスプレイ用データの例を示す。なお、遊技用のデ−タ表示は、デジタル５２の左側（左デジタル）、中央（中デジタル）、右側（右デジタル）とも第２２図のように２字ずつ行われる。
　また、制御装置８２は、分周回路が２ｍ秒毎に発生するリセット信号を割り込みとして用いており、したがってＣＰＵ１２７は２ｍ秒毎に定期的に１回分のプログラムを実行する。なお、ストップスイッチ１３１は遊技者がデジタル５２の回転停止を指令するもので、遊技盤１の左下部に設けられる。
　制御装置８２は、遊技盤１の裏機構に配置されるが（第１３図参照）、既述のようにデジタル５２と一体的に組み付けた液晶駆動基板５３に、デジタル５２の表示データを記憶したＬＣＤ表示用ＲＯＭ８５と、制御装置８２からの信号に応じてＬＣＤ表示用ＲＯＭ８５から所定の表示デ−タを読み出し、このデ−タによりデジタル５２を制御するＬＣＤ表示用ＣＰＵ８６を設けたので、制御装置８２からの信号線、即ち液晶駆動基板５３と制御装置８２との間の配線８３を簡略化でき、配線数を大幅に消滅でき、制御装置８２からＬＣＤ表示用ＣＰＵ８６に送る信号が少なくてすむ。また、制御装置８２は、ＬＣＤ表示用ＣＰＵ８６にデジタル５２の制御を指令する信号のみを送るため、高速制御を行う必要がない。このため、制御装置８２と液晶駆動基板５３との間の配線８３に対するノイズの影響を低減でき、液晶式のデジタル５２であっても、パチンコ台の島設備内を多数流動するパチンコ球や遊技盤１の裏機構を流動するパチンコ球等により発生する静電気の影響を受けたり、あるいは打球発射装置等のモータや変動入賞装置５等のソレノイド等から発生するノイズをひろって画像が乱れるといった不具合を防止することができ、したがってデジタル５２に多彩な表示を行えると共に、デジタル５２から常に安定した良好な画像を確保することができ、静電気やノイズに対する高い信頼性が得られる。
　次に、上記パチンコ機の制御および作用を説明する。
　まず、遊技が行われていないときあるいは遊技が行われていても打球発射装置により遊技部３に発射された打球が特定入賞口６ａ〜６ｃに入賞しないときは、デジタル５２に普段動作のディスプレイ表示が行われる。
　普段動作のディスプレイ表示では、「襖が開き人形が現れる」、「人形が腕を交差させる」のキャラクター、「ショウブ」の文字、「サイコロがころがる」のキャラクター、「３３３　５５５　７７７　アラシが大当たり」の文字、「ちどり模様」のキャラクターが順に繰り返し表示される（第１７図に人形キャラクターの表示例を示す）。このためパチンコ台を選ぶときに遊技者を充分に引き付けることができるとともに、遊技の楽しさが増す。
　そして、遊技部３に発射された打球がうまく特定入賞口６ａ〜６ｃに入賞すると、デジタル上部の壷部材４１が昇降され、デジタル５２に「壷とサイコロ」のキャラクターが表示された後（第１８図に壷とサイコロの表示例を示す）、デジタル５２の図柄が第１９図のように上方から下方へ回転を始める。次に、デジタル５２の自然停止時間が経過するとあるいはストップスイッチ１３１が押されると、制御装置８２により生成される乱数ＳＵＢＧＥＮによるα時間後に同じく制御装置８２により生成される乱数ＲＮＤＧＥＮ、ＲＡＮＤＯＭ、ＨＩＴＧＥＮが抽出され、各乱数により大当たりかどうかおよび左、中、右デジタルＡ、Ｂ、Ｃに停止する図柄が決定される。
　左デジタルＡの所定回転時間が経過すると、左デジタルＡは第２０図のように停止図柄のいくつか前の図柄に切り換えられ、緩やかな速度でスクロールしながら定位値に停止する。この停止後、中デジタルＢの所定回転時間が経過すると、中デジタルＢは同様に停止図柄のいくつか前の図柄に切り換えられ、緩やかな速度でスクロールしながら定位値に停止する。そして、これらの停止後、右デジタルＣの所定回転時間が経過すると、右デジタルＣは同様に停止図柄のいくつか前の図柄に切り換えられ、この場合左デジタルＡと中デジタルＢの停止図柄がリーチ目（同一の大当たり図柄）であれば、壷部材４１が昇降されるとともに、右デジタルＣは左デジタルＡ、中デジタルＢよりもさらに緩やかな速度でランダム時間（ε時間）スクロールし、定位値に停止する。また、左デジタルＡと中デジタルＢの停止図柄がリーチ目でなければ、右デジタルＣは左、中デジタルＡ、Ｂと同様にスクロールし、停止する。
　デジタルＡ、Ｂ、Ｃの回転を停止する際に、図柄を緩やかな速度でスクロールつまり図柄が流れるように表示および更新されるため、図柄および図柄の切り換わりが大変見やすくなり、このため遊技者にとってデジタルＡ、Ｂ、Ｃが目標（大当たり）の図柄で停止するかどうかの高い期待感が得られる。また、左、中デジタルＡ、Ｂの停止図柄が同一となるともちろん大当たりの期待感が高まるが、この場合最後に停止する右デジタルＣがランダムな時間、左、中デジタルＡ、Ｂのスクロールよりもさらに緩やかにスクロールするため、スクロール中の図柄がいずれの図柄かを遊技者が容易に視認でき、右デジタルＣに目標（大当たり）の図柄が現れたきたとき等、その目標の図柄で停止するか否か、さらには目標の図柄が通り過ぎてしまうか否かのスリルに溢れ、しかもそのスクロールは一義的には停止しないため、意外性に富み、また壺部材４１が作動するため、楽しみも増し、このため大当たりが発生するかどうかの大きな期待感が得られる。
　そして、デジタルＡ、Ｂ、Ｃのすべてが停止し、停止図柄が大当たりでなければデジタルＡ、Ｂ、Ｃは普段表示に戻るが、大当たりとなれば、以下の特別遊技が行われる。大当たりは乱数ＲＮＤＧＥＮにより１／２５３の確率で発生し、このときのデジタルＡ、Ｂ，Ｃの停止図柄（当たり図柄）の組み合わせば第１５図（Ｂ）の中から選ばれる。
　なお、特定入賞口６ａ〜６ｃへの打球の入賞後、大当たり、外れの判定が出るまでの間にさらに特定入賞口６ａ〜６ｃに打球が入賞すると、その入賞個数を未処理貯留数として記憶個数表示ＬＥＤ３２ａ〜３２ｄが点灯し、大当たり、外れの判定後（あるいは特別遊技終了後）、再び前記制御が繰り返される。また、打球の入賞により賞球排出装置の球ザヤが駆動され所定の賞球が行われるが、特定入賞口６ａ〜６ｃの入賞に対しては、ソレノイド１１９により駆動される球ザヤフックにより排出球が規制され７個とされる。
　そして、大当たりとなれば、所定のウェイトタイム（ファンファーレ動作時間）中にデジタル５２にまず大当たりの図柄が（第２１図参照）、次に「花火の打ち上げ模様」のキャラクター、「ヨッ！日本一」の文字が表示され、ウェイトタイムが経過すると、変動入賞装置５のアタッカ（可動部材１１２ａ、１１２ｂ）が開かれる。大当たりのディスプレイ表示により、大当たり発生のたのしさや喜びが増し、大きな満足感が得られる。
　そして、アタッカ１１２ａ、１１２ｂが開かれると、遊技部３の上方から流下してきた打球が多数アタッカ１１２ａ、１１２ｂの開口側から直接あるいはアタッカ１１２ａ、１１２ｂに受けとめられて変動入賞装置５内に流入するようになり、流入した打球は中央の連続作動口２５へもしくは連続作動口２５の左右下方の流下棚１１０から一般入賞口１１３へ入る。
　一般入賞口１１３や中央の連続作動口２５に入賞した打球は、合流出口流路を通過する際カウントスイッチ２３により入賞球数をカウントされ、デジタル５２の左半分に表示されるとともに、この場合入賞球数が１０個になるとあるいは所定時間（２９秒）が経過すると、アタッカ１１２ａ、１１２ｂが閉じ、１サイクル終了となる。また、デジタル５２の右半分に経続回数が表示されるとともに、この場合連続作動口２５に打球の入賞があれば、サイクルスイッチ２４により次のサイクルを継続するように指示される。なお、連続作動口２５に入賞すると、入賞時点でデジタル５２の右半分の入賞球数の表示が点滅から点灯に切り換わり、このためサイクル中に遊技者はデジタル５２の表示の変化によって次のサイクルが継続可能なことを確認でき、安心してゲームを続行することができる。
　そして、連続作動口２５に入賞があれば１サイクルの終了後、所定のインターバル時間が経過したときに、新しいサイクルに入り、再びアタッカ１１２ａ、１１２ｂが開かれる。このインターバル中に、デジタル５２に継続回数に応じて「二番勝負！」…「十番勝負！」の文字が表示される。新しいサイクルに入ってアタッカ１１２ａ、１１２ｂが開かれると、打球が多数変動装置５の一般入賞口１１３や連続作動口２５に入賞し、入賞球数が１０個になるとあるいは所定時間（２９秒）が経過すると、アタッカ１１２ａ、１１２ｂが閉じてサイクルが終了となる。また、この場合連続作動口２５に打球の入賞があれば、次のサイクルを継続可能となる。
　これらのサイクルは最高１０回繰り返され、１０回目のサイクル中に変動入賞装置５への入賞球数が１０個になるとあるいは所定時間（２９秒）が経過すると、アタッカ１１２ａ、１１２ｂが閉じ、大当たりが終了となり、このときデジタル５２に「あっぱれ大勝利」の文字、「バンザイの人形」のキャラクターが表示される。また、サイクルが継続されないときは、その時点で大当たりが終了となり、このときデジタル５２に「ムネン！サクラチル」の文字が表示される。
（発明の効果）
　以上のように本発明によれば、液晶表示パネルの裏面側所定部位に設けられ、識別情報等が表示される液晶表示パネルの表示領域を後方から照明する照明手段を構成する前面側が開放した凹室状のランプ収納部材外面の所定位置には、液晶表示パネルに複数の識別情報等の表示制御を行う液晶表示制御基板を配設し、液晶表示パネルと該液晶表示制御基板を配線処理することにより一体的に構成して、液晶表示パネルと液晶表示制御基板との間の配線距離を短縮可能としたので、液晶表示パネルに、多くの情報を表示させるために、高速の制御を行わせると共に多くの信号を制御した場合においても、遊技機に配設されたモータやソレノイドから発生するノイズや遊技機の近傍に配設される設備機器から発生するノイズにより、表示が乱れる等の誤動作が発生することが防止され、安定した表示が可能となる。
　また、照明手段は、照明ランプの照射光およびランプ収納室の反射光により液晶表示パネルを照明すると共に、照明均等化手段を備えることで、識別情報が表示される液晶表示パネルの表示領域を略々均等照度に照明することが可能となり、多彩な表示を可能にするために表示面積が大きい液晶表示パネルを用いた場合においても、識別情報が見やすく、遊技者の目が疲れる等の問題が発生することを防止可能となる。
さらに照明手段は照明ランプがランプ収納部材に対して着脱可能なランプ取付基枠に配設されるので、ランプ切れがあってもランプ取付基枠を取り外すことにより、簡単に交換することがで、常に良好な表示を可能とする。
【図面の簡単な説明】
　第１図、第２図は本発明の実施例を示す遊技盤の正面図と背面図、第３図〜第１０図は画像表示装置の正面図と斜視図と側面図と分解斜視図と要部斜視図、第１１図、第１２図は変動入賞装置の正面図と斜視図、第１３図は裏機構を示す斜視図、第１４図は制御系のブロック構成図、第１５図（Ａ）、（Ｂ）は表示図柄の例を示す表図、第１６図は表示データ例を示す表図、第１７図〜第２２図はデジタルの表示動作を示す図である。
　１…遊技盤、３…遊技部、４…画像表示装置、５…変動入賞装置、６ａ〜６ｃ…特定入賞口、７、８ａ、８ｂ、９ａ、９ｂ…一般入賞口、１８ａ、１８ｂ、１９ａ、１９ｂ、２０ａ〜２０ｃ…当たり表示ランプ、２２ａ、２２ｃ…特定入賞球検出スイッチ、２３…カウントスイッチ、２４…サイクルスイッチ、２５…連続作動口、２６…前面ユニット、２７…後面ユニット、２８…基板、２９…窓部、３０ａ、３０ｂ…飾りランプ、３２ａ〜３２ｄ…記憶個数表示ＬＥＤ、３９ａ〜３９ｈ…飾りＬＥＤ、４１…壷部材、４４…ソレノイド、４７…図柄変動表示ランプ、４９…ピン穴、５０…位置決めピン、５１…基枠、５２…液晶表示パネル（液晶表示部）、５３…液晶駆動基板、５４…保護ケース、５９…ランプハウス、６０…ハウス取付座、６２…ワンタッチ式ロック、６５…支持ピン、６７…中継基板、７２…ランプ基板、７３、７４…液晶照明ランプ、７８…耳、７９…放熱穴、８１…ダボ、８２…制御装置、８３…配線、８５…ＬＣＤ表示用ＲＯＭ、８６…ＬＣＤ表示用ＣＰＵ、１００…放熱穴、１０４…中継基板、１０７、１０８…ラバーリング、１１２ａ、１１２ｂ…可動部材（アタッカ）、１１３…一般入賞口、１１４…ジャンパー線、１１５ａ、１１５ｂ…連続作動表示ランプ、１１９…賞球数切り換えソレノイド、１３０…ソレノイド、１４６、１４７…傾斜部、１５１…開口窓部